(57)【特許請求の範囲】
【請求項１】
便器の洗浄タンクの上部に手洗吐水管を設け、ボールタップからの給水を該手洗吐水管に導いて先端部の吐水口から手洗鉢に吐水する手洗吐水装置において、
前記吐水口よりも低い位置の水導入口から該吐水口に到るまで延びる前記手洗吐水管の上向きの内部空間の一部を埋込部材によって埋めることにより、前記上向きの内部空間の他部であって該埋込部材の外側空間を、前記吐水口に到る手洗水の上昇流路となしてあることを特徴とする手洗吐水装置。
【請求項２】
請求項１において、前記埋込部材を前記手洗吐水管とは別体の部材となし、該埋込部材には外面に凸部を設けて、該凸部において該埋込部材を前記手洗吐水管に嵌合状態に取り付けてあることを特徴とする手洗吐水装置。
【請求項３】
請求項１，２の何れかにおいて、前記手洗吐水管が、筒状をなす下部と外部に露出する上側の本体部とを有していて、該本体部において前記上向きの内部空間の一部が前記埋込部材にて埋められていることを特徴とする手洗吐水装置。
【請求項４】
請求項３において、前記埋込部材の形状が、該埋込部材の底部と前記手洗吐水管の前記下部との間に隙間を形成する形状となしてあることを特徴とする手洗吐水装置。
【請求項５】
請求項１〜４の何れかにおいて、前記埋込部材は柔軟性を有する部材であることを特徴とする手洗吐水装置。
【発明の詳細な説明】
【技術分野】
【０００１】
この発明はトイレにおける便器の洗浄タンクの上部に手洗吐水管を設け、ボールタップからの給水を手洗吐水管に導いて先端部の吐水口から手洗鉢に吐水する手洗吐水装置に関し、特に吐水開始までの時間を短縮化するための技術手段に特徴を有するものに関する。
【背景技術】
【０００２】
トイレの便器の洗浄タンクには、その底部に排水弁が設けられるとともに、内部にはボールタップが設けられ、便器洗浄時に排水弁が開かれて、内部に貯えられた洗浄水が便器に向けて排出されるとともに、ボールタップのタンク内給水口から給水が開始され、タンク内部に洗浄水が補給されるようになっている。
また一般に洗浄タンクにはその上部に手洗鉢が設けられて、そこに手洗吐水管が設けられ、ボールタップからのタンク内給水時にその一部が手洗吐水管へと導かれて、そこから手洗鉢に向けて吐水されるようになっている。
【０００３】
この手洗吐水管を含む手洗吐水装置では、通常の水栓の吐水管からの吐水と異なって手洗吐水管からの吐水を止めると、即ち止水を行うと、通常は手洗吐水管の内部空間を埋めている水が、ボールタップのタンク内給水口を通じて洗浄タンク内へと抜けてしまい、手洗吐水管の内部空間は空の状態となる。
従って次に再びボールタップからの給水によって手洗吐水管から手洗水を出そうとすると、先ず一旦空の状態となった手洗吐水管の内部空間をボールタップからの給水で満たさないといけない。
【０００４】
通常の水栓の吐水管からの吐水の場合、止水を行ったときに吐水管内部の水は流出してしまわずに吐水管内に留まっており、従ってハンドル等にて開閉弁を開操作すると直ちに吐水管から吐水が行われる。
しかるに洗浄タンクの手洗鉢に設けられた手洗吐水管の場合、先ずその内部空間を水で満たした上でなければ、吐水口からの吐水ができない。
即ち手洗吐水管に給水開始してから一定時間経った後でないと吐水が行われず、その間に一定のタイムラグが生じる。
【０００５】
ところで、近年、手洗吐水装置における手洗吐水管にもデザイン性が強く求められるようになってきており、そうした中で手洗吐水管の形状（外部に現れた本体部の形状）を４角形状その他の角形状としたりすることで手洗吐水管が大型化する傾向があり、この場合、従来よりも手洗吐水管の内部空間の容積が大となって、そこに水を満たすまでに時間が長くかかってしまう。
【０００６】
つまり手洗吐水管から吐水が開始されるまでの所要時間が従来よりも長くなってしまい、使用者に対し苛立ちや不快感を与えてしまう。
一方でこれを避けようとして吐水管を細くすると、そのことが吐水管のデザインの自由度を大きく制約することになってしまう。
【０００７】
尚、本発明に関連する先行技術として下記特許文献１に開示されたものがある。
このものは、吐水口の直上流位置に水流の流れを変える遮水部材を設け、その遮水部材にて水流を一旦堰き止めて上方へと押し上げた後、吐水口から水流を幅広に吐水するようになしたものである。
但しこの特許文献１に開示のものは、通常の水栓の吐水装置に関するものであるのに加え、遮水部材を設けることによって吐水口からの吐水が却って遅れてしまうものであり、本発明とは異なったものである。
【先行技術文献】
【特許文献】
【０００８】
【特許文献１】特開２００９−７４３４３号公報
【発明の概要】
【発明が解決しようとする課題】
【０００９】
本発明は以上のような事情を背景とし、手洗吐水管のデザインの自由度を高く確保しつつ、手洗吐水管からの吐水開始までの時間を効果的に短くすることのできる手洗吐水装置を提供することを目的としてなされたものである。
【課題を解決するための手段】
【００１０】
而して請求項１のものは、便器の洗浄タンクの上部に手洗吐水管を設け、ボールタップからの給水を該手洗吐水管に導いて先端部の吐水口から手洗鉢に吐水する手洗吐水装置において、前記吐水口よりも低い位置の水導入口から該吐水口に到るまで延びる前記手洗吐水管の上向きの内部空間の一部を埋込部材によって埋めることにより、前記上向きの内部空間の他部であって該埋込部材の外側空間を、前記吐水口に到る手洗水の上昇流路となしてあることを特徴とする。
【００１１】
請求項２のものは、請求項１において、前記埋込部材を前記手洗吐水管とは別体の部材となし、該埋込部材には外面に凸部を設けて、該凸部において該埋込部材を前記手洗吐水管に嵌合状態に取り付けてあることを特徴とする。
【００１２】
請求項３のものは、請求項１，２の何れかにおいて、前記手洗吐水管が、筒状をなす下部と外部に露出する上側の本体部とを有していて、該本体部において前記上向きの内部空間の一部が前記埋込部材にて埋められていることを特徴とする。
【００１３】
請求項４のものは、請求項３において、前記埋込部材の形状が、該埋込部材の底部と前記手洗吐水管の前記下部との間に隙間を形成する形状となしてあることを特徴とする。
【００１４】
請求項５のものは、請求項１〜４の何れかにおいて、前記埋込部材は柔軟性を有する部材であることを特徴とする。
【発明の作用・効果】
【００１５】
以上のように本発明は、手洗吐水管の上向きの内部空間の一部を埋込部材によって埋めることによって、上向きの内部空間の他部を吐水口に到る手洗水の上昇流路となしたものである。
【００１６】
本発明によれば、手洗吐水管の内部空間を部分的に水で埋め、満たすだけで、吐水口から手洗水を吐水させることが可能となり、従って手洗吐水管への給水開始から手洗水の吐水開始までの時間を短縮化することができる。
また手洗吐水管の内部空間の全部を水で満たす必要が無くなるので、手洗吐水管を大型化することも容易に行うことができ、手洗吐水管のデザインの自由度を高めることができる。
【００１７】
本発明では、埋込部材を手洗吐水管とは別体の部材となして、その外面に凸部を設け、その凸部において埋込部材を手洗吐水管に嵌合状態に取り付けるようになしておくことができる（請求項２）。
【００１８】
埋込部材を手洗吐水管の内部に埋め込んだ場合、通水時に埋込部材が手洗吐水管の内部で移動すると、埋込部材が手洗吐水管に当って不快な音を発生させる恐れが生ずる。
ここにおいて埋込部材に凸部を設けておいて、その凸部において手洗吐水管に嵌合状態に取り付けるようになした場合、その凸部を一部圧縮させるようにして埋込部材を手洗吐水管に嵌合させることが可能であり、そのようにすることで、埋込部材を手洗吐水管に対し相対移動しない状態にしっかりと固定状態となすことができる。
【００１９】
またこの埋込部材を比較的寸法のばらつき易い樹脂の成形品にて構成した場合、その寸法のばらつきを上記の凸部の圧縮によって吸収することができ、埋込部材に寸法のばらつきがある場合であっても、埋込部材を手洗吐水管の内部に良好に嵌合状態に固定することが可能となる。
【００２０】
通常、手洗吐水管は筒状をなす下部と、外部に露出する上側の本体部とを有する形態をなしている。
この場合、本体部において上記の上向きの内部空間の一部を埋込部材にて埋めるようになしておくことができる（請求項３）。
【００２１】
下部の筒状部に対し上側の本体部の方が一般に太く、大型で内部空間の容積も大であるのが通常であるから、このようにすることにより手洗吐水管の内部空間を効果的に大きく埋め又は閉鎖することができる。そしてこれにより吐水口から手洗水が吐水されるまでの時間を効果高く短縮化することができる。
【００２２】
この場合において埋込部材の形状を、その底部と手洗吐水管の上記の下部との間に隙間を形成する形状となしておくことができる（請求項４）。
このようにしておけば、手洗吐水管の内部に溜まろうとする水を、その隙間を通じて良好に管外に排出することができる。
【００２３】
本発明では、上記埋込部材として例えば樹脂の薄肉ブロー成形品，ゴム弾性体その他のエラストマー，スポンジ，発泡樹脂等の、柔軟性を有する部材を用いることができる（請求項５）。
このような柔軟性のある部材を埋込部材として用いることで、成形精度をそれほど高くしなくても、容易に埋込部材を手洗吐水管の内部に嵌合させることができる利点が得られる。
【図面の簡単な説明】
【００２４】
【図１】本発明の一実施形態の手洗吐水装置を洗浄タンク等とともに示した図である。
【図２】同実施形態の手洗吐水装置を示した図である。
【図３】同実施形態の手洗吐水装置を分解して示した図である。
【図４】図２のIV−IV視断面図である。
【図５】同実施形態における埋込部材の図である。
【図６】参考例の要部の図である。
【図７】他の参考例の要部の図である。
【図８】更に他の参考例の要部の図である。
【図９】比較例としての手洗吐水装置を示した図である。
【発明を実施するための形態】
【００２５】
次に本発明の実施形態を図面に基づいて詳しく説明する。
図１において、１０はトイレ内に設置された便器の洗浄タンクで底部に排水弁が設けられ、その排水弁の開弁により、内部に貯えられた洗浄水を排出口１２から便器に向けて勢い良く排出する。
洗浄タンク１０の内部にはまた、ボールタップ１４が設けられている。
ボールタップ１４は、洗浄タンク１０の内部の洗浄水の水位に連動して昇降するフロート１６と、給水弁（図示省略）と、フロート１６及び給水弁を連繋し、フロート１６の下降及び上昇に連動して給水弁を開閉させる連繋アーム１８と、給水弁の開弁によりタンク内に給水を行うタンク内給水口２０とを有している。
【００２６】
２２は手洗吐水装置で、この手洗吐水装置２２は、洗浄タンク１０の蓋体にて構成される手洗鉢２４に設けられた手洗吐水管２６と、ボールタップ１４からの給水の一部を手洗吐水管２６に導く蛇腹管から成る導管２７とを有している。
この手洗吐水装置２２は、タンク内給水口２０から洗浄タンク１０内への給水時に、給水の一部を手洗吐水管２６に導いてそこから、詳しくは先端の吐水口２８から手洗鉢２４に向けて吐水させる。
手洗吐水管２６からの吐水は、手洗鉢２４の底部の排水口３０（図２参照）から洗浄タンク１０内に落下せしめられる。
【００２７】
図２に示しているように、手洗吐水管２６は筒状（ここでは円筒状）をなす下部３２と、外部に露出する上側の本体部３４とを有している。
下部３２は、上端部に外方に張り出した大形の鍔状部３６を有している。その鍔状部３６の外周端には嵌合部３８が設けられ、この嵌合部３８が、本体部３４の下端部に内嵌状態に嵌合している。
【００２８】
下部３２は雄ねじ部４０を有していて、この雄ねじ部４０に対し、手洗鉢２４の裏面側でナット４２が螺合され、このナット４２の螺合により下部３２が、鍔状部３６とナット４２とで手洗鉢２４を上下両面から挟む状態に、手洗鉢２４に固定されている。
【００２９】
本体部３４は、図４に示しているように横断面形状が４角形状をなしているとともに、先端（上端）から下方に進むにつれて横断面の形状が大形状化する形態をなしており、そして最も大形状化した下端部に対して、上記の下部３２の嵌合部３８が嵌入状態に接続されている。
【００３０】
図９の比較例図に示しているように、従来の手洗吐水装置２２Ａにあっては、手洗吐水管２６の内部空間の全体が手洗水の通水空間をなしており、従って吐水口２８から手洗水を吐水するためには、先ず手洗吐水管２６の内部空間全体に水を満たしてからでなければ、吐水口２８から手洗水を吐水することができなかった。
【００３１】
そこでこの実施形態では、図２に示しているように手洗吐水管２６の内部、具体的には上側の本体部３４の内部に、埋込部材４６が埋め込んであり、吐水口２８よりも低い位置の水導入口４８から吐水口２８に到るまで延びる、手洗吐水管２６の上向きの内部空間の一部が、その埋込部材４６によって埋められている。
この結果、上向きの内部空間のうち埋込部材４６で埋められた空間以外の他の空間によって、吐水口２８まで到る手洗水の上昇流路５０が、手洗吐水管２６の内部に形成されている。
【００３２】
図３〜図５に、埋込部材４６の形状が具体的に示してある。
尚、本実施形態では手洗吐水管２６及び埋込部材４６の何れもが樹脂製とされている。
具体的には、手洗吐水管２６はＡＢＳ樹脂にて構成され、また埋込部材４６はポリプロピレン樹脂にて構成されている。
またこの埋込部材４６は薄肉のブロー成形品にて構成されている。
【００３３】
図示のように埋込部材４６は上壁５２と、下壁５４と、一対の側壁５６とを有する、横断面形状が概略４角形状をなす部材で、内部中空構造とされており、そしてその前端（図５（Ａ）中右端）が前端壁５８にて閉鎖され、また後端（図５（Ａ）中左端）が開口６０を一部除いて後端壁６２にて閉鎖されている。
尚、開口６０があっても、空気の逃げ場がないため、水が埋込部材の中に入ることはない。
尚この埋込部材４６もまた、手洗吐水管２６における本体部３４と同様に、上端から下方に進むにつれて横断面形状が大形状化する形態をなしている。
【００３４】
この埋込部材４６は、下壁５４に断面コ字形状で下向きに突出し、且つ長手方向に沿って連続的に延びる突条部６５が設けられている。
そしてこの突条部６５の下面と、上壁５２の上面とに、同じく長手方向に沿って連続的に延びるリブ（凸部）６４が設けられている。
一方、一対の側壁５６には外向きに凸形状をなす凸曲部（凸部）６６が、同じく長手方向に沿って連続的に形成されている。
【００３５】
埋込部材４６は、上壁５２のリブ６４を手洗吐水管２６における本体部３４の上壁６８（図４参照）に圧接させ、また下壁５４の、詳しくは突条部６５の下面のリブ６４を本体部３４の下壁７０の内面に、更に一対の側壁５６の凸曲部６６を対応する本体部３４の一対の側壁７２の内面にそれぞれ圧接させる状態に、本体部３４の内部に内嵌状態に嵌合せしめられている。
【００３６】
このとき一対のリブ６４は、本体部３４への上向きの押込みの圧力によって一部が圧潰変形せしめられており、同様に一対の凸曲部６６がその押込みの圧力で圧縮変形せしめられており、それら圧潰，圧縮変形状態の下で、埋込部材４６が本体部３４の内部に組み付けられている。
【００３７】
以上のようにして埋込部材４６が本体部３４に埋め込まれることによって、この埋込部材４６の下側に、突条部６５にて左右に分かれた（吐水口２８まで到る）手洗水の上昇流路５０が形成されている。
図に示しているようにこの実施形態では、勾配が最も急となるような上昇流路５０が形成されるように、手洗吐水管２６の上向きの内部空間が埋込部材４６にて埋められている。
【００３８】
尚、埋込部材４６が一対のリブ６４及び凸曲部６６において本体部３４に内嵌せしめられることによって、図４に示すように埋込部材４６における上壁５２と手洗吐水管２６における本体部３４の上壁６８との間、及び突条部６５と本体部３４の下壁７０との間に微小な隙間Ｓ１が生ぜしめられている。
更に、埋込部材４６の一対の側壁５６と本体部３４の対応する一対の側壁７２との間に微小な隙間Ｓ２が生ぜしめられている。
【００３９】
埋込部材４６にはまた、図３及び図５に示しているように、その底部７６に下向きに部分的に突出した突出部７８が設けられている。
そしてこの突出部７８が、手洗吐水管２６における下部３２の上記の鍔状部３６に当接せしめられている。
【００４０】
埋込部材４６の底部７６は、この突出部７８周りの部分が平面視コ字形状の凹部８０をなしており、そしてこの凹部８０において、埋込部材４６の底部７６と下部３２との間に隙間Ｓ３が形成されている。
そしてこの隙間Ｓ３が形成されていることによって、手洗吐水管２６からの手洗水の吐水を停止したとき、本体部３４内部の水がその隙間Ｓ３を通じて良好に下部３２を通じ下方へと抜け出ることができる。
【００４１】
この実施形態では、洗浄タンク１０内部の洗浄水が排出口１２から排出されて、フロート１６が内部の水位とともに下降すると、ここにおいてボールタップ１４の給水弁が開いて、タンク内給水口２０から洗浄タンク１０内に給水が行われる。
またその一部が、蛇腹管から成る導管２７を通じて手洗吐水管２６へと導かれる。
【００４２】
このとき、手洗水は先ず下部３２の内部を埋めながら手洗吐水管２６の内部を上昇し、そして埋込部材４６による埋込空間の残りの空間、即ち上向きの内部空間の残りの空間にて形成される上昇流路５０の内部を引続いて上昇し、そして先端部の吐水口２８に到って、そこから手洗鉢２４に向けて吐水される。
【００４３】
一方ボールタップ１４からの給水が停止すると、手洗吐水管２６内部の手洗水は、タンク内給水口２０を通じて洗浄タンク１０内部に抜き出され、ここにおいて手洗吐水管２６の内部の空間は再び空の状態となる。
このとき、手洗吐水管２６内部において、埋込部材４６と本体部３４との間の隙間Ｓ１，Ｓ２の内部の水は、埋込部材４６の底部７６と下部３２との間の隙間Ｓ３を通じて良好に下部３２を通じ下方へと抜け出ることができる。
尚この実施形態において、上記埋込部材４６は中空構造のものであり、従ってこの埋込部材４６は、手洗吐水管２６の上向きの内部空間を部分的に閉鎖する閉鎖部材と考えることもできる。
【００４４】
この実施形態では、埋込部材４６を樹脂の薄肉ブロー成形品にて構成しているが、これをゴム弾性体その他のエラストマー，発泡樹脂その他の軟質部材にて構成することも可能である。
【００４５】
またこの実施形態では埋込部材４６を手洗吐水管２６と別体に構成して、これを手洗吐水管２６内部に組み込んでいるが、同種若しくは別種の埋込部材を手洗吐水管２６に一体に構成するといったことも可能である。
【００４６】
以上のような本実施形態によれば、手洗吐水管２６の内部空間を部分的に水で埋め、満たすだけで、吐水口２８から手洗水を吐水させることができ、従って手洗吐水管２６への給水開始から手洗水の吐水開始までの時間を短縮化することができる。
また手洗吐水管２６の内部空間の全部を水で満たす必要が無くなるので、手洗吐水管２６を大型化することも容易に行うことができ、手洗吐水管２６のデザインの自由度を高めることができる。
【００４７】
本実施形態では、埋込部材４６を手洗吐水管２６とは別体の部材となして、その外面にリブ６４の凸曲部６６を設け、それらリブ６４，凸曲部６６において埋込部材４６を手洗吐水管２６に嵌合状態に取り付けるようになしている。
【００４８】
埋込部材４６を手洗吐水管２６の内部に埋め込むことにより、通水時にその埋込部材４６が手洗吐水管２６の内部で移動すると、埋込部材４６が手洗吐水管２６に当って不快な音を発生させる恐れが生じるが、この実施形態では埋込部材４６にリブ６４，凸曲部６６を設けてそれらリブ６４，凸曲部６６において手洗吐水管２６に嵌合状態に取り付けているため、そのリブ６４，凸曲部６６を圧縮させるようにして埋込部材４６を手洗吐水管２６に嵌合させることが可能であり、そのようにすることで、埋込部材４６を手洗吐水管２６に対し相対移動しない状態にしっかりと固定することができる。
【００４９】
またこの埋込部材４６を、比較的寸法のばらつき易い樹脂の成形品にて構成しているにも拘らず、その寸法のばらつきを上記のリブ６４，凸曲部６６の圧縮によって吸収することができ、埋込部材４６に寸法のばらつきがある場合であっても、埋込部材４６を手洗吐水管２６の内部に良好に嵌合状態に固定することができる。
【００５０】
また本実施形態では、手洗吐水管２６の大形をなす本体部３４において手洗吐水管２６の内部空間の一部を埋込部材４６にて埋めるようになしていることから、手洗吐水管２６の内部空間を効果的に大きく埋めることができ、これにより吐水口２８から手洗水が吐水されるまでの時間を効果高く短縮化することができる。
【００５１】
本実施形態では、上昇流路５０の勾配が最も急となるように、手洗吐水管２６の上向きの内部空間を埋めており、手洗吐水管２６からの吐水を停止した際即ち止水した際、その内部の水を良好に下方に抜くことができる。
特に、長期間手洗吐水管２６を使用しない場合に、その内部に水が溜まったままとなる部分の発生を無くすことができ、そこで菌が繁殖する等の問題を生じないようにすることができる。
【００５２】
本実施形態では、上記埋込部材４６として樹脂の薄肉ブロー成形品を用いており、このような柔軟性のある部材を埋込部材４６として用いることで、成形精度をそれほど高くしなくても、容易に埋込部材４６を手洗吐水管２６の内部に嵌合させることができる。
【００５３】
図６は参考例を示している。
この例は、手洗吐水管２６、詳しくは本体部３４の内部に一対の閉鎖壁８２を設けて、それら閉鎖壁８２と８２との間の空間を、吐水口２８に到る手洗水の上昇流路５０となし、そして閉鎖壁８２の外側の空間を閉鎖空間となした例である。
尚、これら閉鎖壁８２の外側の空間を全て埋めておけば、この場合には手洗吐水管２６内部に埋込部材を手洗吐水管２６と一体に構成したことになる。
【００５４】
図７は他の参考例を示している。
この例は、手洗吐水管２６における下部３２と本体部３４の先端側部分３４ａとを、伸縮性を有するチューブ（管体）８４にて接続し、本体部３４の基端側部分においてチューブ８４を閉鎖部材として、チューブ８４の外側空間を閉鎖空間となし、そしてチューブ８４の内部空間を手洗水の上昇流路５０として構成した例である。
【００５５】
尚チューブ８４の下端部と上端部とは、それぞれ下部３２と先端側部分３４ａとに形成した差込口８６にこれを差し込んである。
チューブ８４には、蛇腹部９０が伸縮部として設けてあり、チューブ８４は、この蛇腹部９０において長手方向に伸縮可能である。
【００５６】
図７（Ｂ）は、下部３２を本体部３４から外した状態で、蛇腹部９０においてチューブ８４を長手方向に伸ばした状態を示している。
図示のようにこの例では、チューブ８４の上端部を先端側部分３４Ａの差込口８６に差し込んで接続し、そして図中下端を本体部３４から突き出した状態として、これを下部３２の差込口８６に差し込んで接続し、その後チューブ８４を収縮させるようにこれを押し込んで下部３２を本体部３４に組み付けることができる。このようにすることで、簡単に下部３２と先端側部分３４ａとをチューブ８４にて接続状態とすることができる。
【００５７】
この例においても、手洗吐水管２６における本体部３４の内部に効果的に手洗水の通過しない、即ち水洗水にて満たすことを必要としない閉鎖空間を形成することができる。
また下部３２と先端側部分３４ａとを接続する管体をチューブ８４にて構成することで、下部３２と先端側部分３４ａとの接続作業を作業性良く良好に行うことができる。
【００５８】
図８は更に他の参考例を示している。
この例は、下部３２から管体８８を一体に延び出させ、そしてその先端部８８ａを、本体部３４の先端側部分３４ａに嵌合状態に接続し、そしてその管体８８を閉鎖部材として、その外側に閉鎖空間を形成し、また管体８８の内部に吐水口２８に到る手洗水の上昇流路５０を形成した例である。
【００５９】
以上本発明の実施形態を参考例とともに詳述したがこれはあくまで一例示であり、本発明はその趣旨を逸脱しない範囲において種々変更を加えた形態で構成可能である。
【符号の説明】
【００６０】
１０  洗浄タンク
１４  ボールタップ
２２  手洗吐水装置
２４  手洗鉢
２６  手洗吐水管
２８  吐水口
３４  本体部
４６  埋込部材
５０  上昇流路
６４  リブ
６５  突条部
６６  凸曲部
７６  底部
８２  閉鎖壁
８４  チューブ（管体）
８８  管体
Ｓ３  隙間
【図１】
0005643953.tif 000002
【図２】
0005643953.tif 000003
【図３】
0005643953.tif 000004
【図４】
0005643953.tif 000005
【図５】
0005643953.tif 000006
【図６】
0005643953.tif 000007
【図７】
0005643953.tif 000008
【図８】
0005643953.tif 000009
【図９】
0005643953.tif 000010